(57)【特許請求の範囲】
【請求項１】
搬送されるディスクのディスク面に略平行な第１の面を有した第１のガイド部材と前記ディスクを介して反対側に前記第１の面と略平行な第２の面を有し前記ディスク面に略平行なディスクの搬送動作をガイドする第２のガイド部材とを備えたディスクガイド手段と、前記第１のガイド部材と前記第２のガイド部材との間を前記ディスクが搬送された位置に合わせて開閉する開閉制御手段とを有し、前記第1 のガイド部材と前記第２のガイド部材とで前記ディスクを狭持し前記ディスク面に略垂直な方向に前記ディスクを移送することを特徴とする光ディスク記録再生装置。
【請求項２】
前記第１のガイド部材と前記第２のガイド部材とをそれぞれ前記ディスクを挟む方向に付勢するバネを有することを特徴とする請求項１記載の光ディスク記録再生装置。
【請求項３】
複数枚のディスクを格納しておくディスクストック部と、
前記ディスクストック部より搬送されて来る前記ディスクの記録を再生するディスク記録再生部と、
前記ディスクストック部から前記ディスク記録再生部に前記ディスクを搬送するディスクローディング部と、
搬送されるディスクのディスク面に略平行な第1 の面を有した第1 のガイド部材と前記ディスクを介して反対側に前記第１の面と略平行な第２の面を有し前記ディスク面に略平行なディスクの搬送動作をガイドする第２のガイド部材とを備えたディスクガイド手段と、前記第１のガイド部材と前記第２のガイド部材との間を前記ディスクが搬送された位置に合わせて開閉する開閉制御手段とを有し、
前記ディスクストック部から前記ディスク記録再生部に前記ディスクを移動するときには前記ガイド部材を前記ディスクが通る間隔だけ小開きし、前記ディスクを定置するときには前記第１のガイド部材と前記第２のガイド部材とで前記ディスクを狭持し前記ディスク面に略垂直な方向に前記ディスクを移送し、ディスク記録再生時にはディスク回転に影響のない間隔まで前記２つのガイド部材を大開きすることを特徴とする光ディスク記録再生装置。
【請求項４】
前記開閉制御手段が、前記第１のガイド部材と前記第２のガイド部材とを少なくとも上下２方向に移動可能に連結するカム板と、前記第１のガイド部材と前記第２のガイド部材とをそれぞれ前記ディスクを挟む方向に付勢するバネを有することを特徴とする請求項３記載の光ディスク記録再生装置。
【請求項５】
前記ディスク記録再生部にテーパー部を設けておくとともに、前記ディスク記録再生部を複数個のダンパー及びバネを介して支持するベース板と、前記ベース板に直動可能に係合したロック板と、前記ロック板の動作により回動可能に係合した２つの回転レバーとを備え、ディスクの記録再生位置への搬送時には前記テーパー部と前記ロック板の係合により前記ディスク記録再生部を下げ、ディスクの記録再生時には、前記ディスク記録再生部を元の高さ位置まで戻し記録再生に影響のない位置まで前記第１のガイド部材と前記第２のガイド部材とを待避するようにしたことを特徴とする請求項３記載の光ディスク記録再生装置。
【請求項６】
前記ディスク記録再生部を下降させる前記ロック板を駆動する前記回転レバーに配置された軸と、前記回転レバーに配置された前記軸と係合する円弧状のカム溝を本体部側に設け、前記軸と前記カム溝とにより前記ディスク記録再生部が回動しても前記ディスク記録再生部のロック状態を保持し続けるようにしたことを特徴とする請求項５記載の光ディスク記録再生装置。
【請求項７】
前記ディスク記録再生部をロックし、回動するベース板に直線状と円弧を組み合わせたカム溝を設け、前記ディスク記録再生部をロックするロックレバーを駆動するカムギアに前記カム溝と係合する軸を設けることにより、前記ディスク記録再生部の回動動作とロック動作を共有したことを特徴とする請求項５記載の光ディスク記録再生装置。
【発明の詳細な説明】
【０００１】
【発明の属する技術分野】
本発明は、例えば音楽や画像再生専用のコンパクトディスク（通称、「ＣＤ」という）、コンピュータの周辺機器として使用されるＣＤ−ＲＯＭ、ＣＤ−Ｒ、ＣＤ−Ｉ等を扱うプレーヤ、すなわち光ディスク記録再生装置で、その回転するディスクを交換するディスクチェンジャー機構を備えた光ディスク記録再生装置に関するものである。
【０００２】
【従来の技術】
近年、自動車等において、オーディオ機器あるいはナビゲーション装置としてＣＤを用いた光ディスク記録再生装置を搭載したものがある。また、例えばナビゲーション装置では、自動車が向かう先によって数枚のディスクが用意され、このディスクを交換しながら使用することが多い。そのため、交換をする煩わしさがある。そこで、その煩わしさを解決するのに予め数枚のＣＤをディスクストック部にストックしておき、これを交換するようにしたディスクチェンジャー機構付の光ディスク記録再生装置もある。このディスクチェンジャー機構付の光ディスク記録再生装置では、自動車等の内部スペースを有効に活用するのに、小型で、薄型化された光ディスク記録再生装置が望まれている。
【０００３】
図１１及び図１２は従来のディスクチェンジャー機構付の光ディスク記録再生装置の要部構成を模式的に示すもので、図１１はその従来装置の上面図、図１２はその装置の側面図である。図１１及び図１２において、１０１はディスク演奏部である。このディスク演奏部１０１は、ディスク（ＣＤ）１０２を定置するターンテーブル１０３と、ターンテーブル１０３を回転させるモータ１０４と、ディスク１０２上の記録を読み取る光ピックアップ１０５と、この光ピックアップ１０５を駆動する駆動機構１０６と、それらを取り付けたベース１０７とからなる。この構成は光ディスク記録再生装置の一般的な構成である。
【０００４】
１０８はディスク１０２の挿脱入を行うディスクローディング部、１０９はディスク１０２を格納するディスクストック部であり、それぞれディスク１０２を格納する複数のトレイ１１０と各トレイ１１０を昇降する昇降レバー１１１からなる。
【０００５】
以上のように構成された光ディスク記録再生装置の動作を次に説明する。まず、ディスク１０２を演奏するときは、昇降レバー１１１によりトレイ１１０を扇状に開き、前方位置に待避していたディスク演奏部１０１が移動したトレイ１１０の空隙を用いてターンテーブル１０３とディスク１０２の中心穴１０２ａが一致する位置まで回動する。その後、図示しない昇降機構によりディスク演奏部１０１を上昇させ、ディスク１０２をターンテーブル１０３上に定置し、その後、演奏する構成となっている。なお、ディスクチェンジあるいはディスクイジェクトのときは、逆の動作をとることにより実現される。
【０００６】
【発明が解決しようとする課題】
しかしながら、上述した従来装置のような構成では、ディスク演奏位置がディスクストック位置と同一となっている。このため、演奏時に、ディスク演奏部１０１をディスクストック部１０９の内側まで入り込ませる必要があるので、ディスクストック部１０９はディスク演奏部１０１が回動する領域の外側に設けておく必要があり、光ディスク記録再生装置の薄型化を図る上で障害となっていた。
【０００７】
また、上述した従来装置の構成では、ディスク演奏部１０１を防振して保持するダンパーやバネを、その構造上、装置本体の外側に設けることしかできなかった。このため、装置が大型化し、それに伴いその光ディスク記録再生装置を保持しておく装置も大型化してしまうという問題点を有していた。
【０００８】
本発明は、待機ディスクを定位置まで確実に搬送できる小型で薄型化された光ディスク記録再生装置を提供することを目的とするものである。
【０００９】
【課題を解決するための手段】
本発明は、上記目的を達成するために、本発明の光ディスク記録再生装置は、ディスクがディスク記録再生部に搬送される際にガイドとなるディスクガイド部に、それぞれ上下方向に移動されて前記ディスクを上下方向から挟んで保持する２つのガイド部材を設けるとともに、その２つのガイド部材との間をディスクの搬送されている位置に合わせて開閉するように構成し、前記ディスクを定置するときに前記２つのガイド部材で前記ディスクを挟んで搬送する構造とすることにより、機器の動作環境の拡大を可能にするものである。
【００１０】
また、ディスクの記録再生位置とディスクストック位置を別とした構造とすることにより、ディスク記録再生時にディスク記録再生部をディスクストック部の内側まで入り込ませる必要をなくしたものである。
【００１１】
【発明の実施の形態】
本発明の請求項１に記載の発明は、搬送されるディスクのディスク面に略平行な第1 の面を有した第1 のガイド部材と前記ディスクを介して反対側に前記第１の面と略平行な第２の面を有し前記ディスク面に略平行なディスクの搬送動作をガイドする第２のガイド部材とを備えたディスクガイド手段と、前記第1 のガイド部材と前記第２のガイド部材との間を前記ディスクが搬送された位置に合わせて開閉する開閉制御手段とを有し、前記第1 のガイド部材と前記第２のガイド部材とで前記ディスクを狭持し前記ディスク面に略垂直な方向に前記ディスクを移送することを特徴とする光ディスク記録再生装置であり、ディスクを上下方向から２つのガイド部材により挟むことができることにより、ディスクを定位置まで確実に搬送できるという作用を有する。
【００１２】
本発明の請求項２に記載の発明は、前記第1 のガイド部材と前記第２のガイド部材とをそれぞれ前記ディスクを挟む方向に付勢するバネを有することを特徴とする請求項１記載の光ディスク記録再生装置であり、２つのガイド部材に対して、２つのガイド部材がディスクを挟む方向に働く力をバネにより常に付与しているので、２つのガイド部材によりディスクを挟む力が安定する。
【００１３】
本発明の請求項３に記載の発明は、複数枚のディスクを格納しておくディスクストック部と、  前記ディスクストック部より搬送されて来る前記ディスクの記録を再生するディスク記録再生部と、  前記ディスクストック部から前記ディスク記録再生部に前記ディスクを搬送するディスクローディング部と、搬送されるディスクのディスク面に略平行な第1 の面を有した第1 のガイド部材と前記ディスクを介して反対側に前記第１の面と略平行な第２の面を有し前記ディスク面に略平行なディスクの搬送動作をガイドする第２のガイド部材とを備えたディスクガイド手段と、前記第1 のガイド部材と前記第２のガイド部材との間を前記ディスクが搬送された位置に合わせて開閉する開閉制御手段とを有し、  前記ディスクストック部から前記ディスク記録再生部に前記ディスクを移動するときには前記ガイド部材を前記ディスクが通る間隔だけ小開きし、前記ディスクを定置するときには前記第1 のガイド部材と前記第２のガイド部材とで前記ディスクを狭持し前記ディスク面に略垂直な方向に前記ディスクを移送し、ディスク記録再生時にはディスク回転に影響のない間隔まで前記２つのガイド部材を大開きすることを特徴とする光ディスク記録再生装置であり、ディスクをばねにより上下方向から保持する２つのガイド部材により挟むことができることにより、ディスクがトレイ内で定置していなくても、また装置を傾斜状態及び振動下で使用してもディスクをバネ力によりガイド部材により定置された状態でターンテーブル上に固定することができ、機器の薄型化及び動作環境の拡大に寄与するという作用を有する。
【００１４】
本発明の請求項４に記載の発明は、前記開閉制御手段が、前記第1 のガイド部材と前記第２のガイド部材とを少なくとも上下２方向に移動可能に連結するカム板と、前記第1 のガイド部材と前記第２のガイド部材とをそれぞれ前記ディスクを挟む方向に付勢するバネを有することを特徴とする請求項３記載の光ディスク記録再生装置であり、上下動するガイド部材の動作によりディスクの動作に合わせて適宜ディスクをガイド・挟み・解放するため、ディスクを記録再生するディスク記録再生部とディスクストック部を別の位置に配置でき、機器の薄型化に寄与できる。
【００１５】
本発明の請求項５に記載の発明は、前記ディスク記録再生部にテーパー部を設けておくとともに、前記ディスク記録再生部を複数個のダンパー及びバネを介して支持するベース板と、前記ベース板に直動可能に係合したロック板と、前記ロック板の動作により回動可能に係合した２つの回転レバーとを備え、ディスクの記録再生位置への搬送時には前記テーパー部と前記ロック板の係合により前記ディスク記録再生部を下げ、ディスクの記録再生時には、前記ディスク記録再生部を元の高さ位置まで戻し記録再生に影響のない位置まで前記第1 のガイド部材と前記第２のガイド部材とを待避するようにしたことを特徴とする請求項３記載の光ディスク記録再生装置であり、ダンパーやバネを演奏部の下に配置し、ダンパーの可動範囲を利用してディスク再生時以外にディスク記録再生部を下方向に押圧・固定することが可能なため、特別な昇降機構を用いることなく、ディスク挿脱時にディスクをディスク演奏部の上を通過させることができ、またディスク外部に別途設ける必要がないため、機器の小型化に寄与するという作用を有する。
【００１６】
本発明の請求項６に記載の発明は、前記ディスク記録再生部を下降させる前記ロック板を駆動する前記回転レバーに配置された軸と、前記回転レバーに配置された前記軸と係合する円弧状のカム溝を本体部側に設け、前記軸と前記カム溝とにより前記ディスク記録再生部が回動しても前記ディスク記録再生部のロック状態を保持し続けるようにしたことを特徴とする請求項５記載の光ディスク記録再生装置であり、ディスク演奏部が回動しても請求項３のロック状態を保持し続けることが可能なため、ディスク格納時にトレイの間隔を狭めることができ、機器の小型化に寄与するという作用を有する。
【００１７】
本発明の請求項７に記載の発明は、前記ディスク記録再生部をロックし、回動するベース板に直線状と円弧を組み合わせたカム溝を設け、前記ディスク記録再生部をロックするロックレバーを駆動するカムギアに前記カム溝と係合する軸を設けることにより、前記ディスク記録再生部の回動動作とロック動作を共有したことを特徴とする請求項５記載の光ディスク記録再生装置であり、ディスク演奏部の回動動作とロック動作を同一の機構を用いて行うことができ、機器の簡素化に寄与するという作用を有する。
【００１８】
（実施の形態）
以下、本発明の実施の形態における光ディスク記録再生装置について図面を参照しながら説明する。図１乃至図１４は本発明の光ディスク記録再生装置の一実施の形態を示すもので、図１はその装置の上面図、図２乃至図８はその装置の部分的な構造をさらに詳細に示す図である。なお、この装置で使用するディスク（ＣＤ）は規格統一されたものであるので、従来装置の説明の場合と同じ符号を付して説明する。
【００１９】
図１において、１は光ディスク記録再生装置の本体部である。この本体部１には、演奏していない複数のディスク１０２を格納するディスクストック部２と、ディスクストック部２にディスク１０２を挿脱するディスクローディング部３と、ディスク１０２の記録を再生するディスク記録再生部としてのディスク演奏部４と、本体部１上でディスク演奏部４を回動移動させるスイング部５と、ディスクストック部２からディスクローディング部３またはディスク演奏部４へとディスク１０２が搬送される際にガイドとなるディスクガイド部６とそれぞれの動作のタイミングをとる動作タイミング機構７が取り付けられた構成になっている。
【００２０】
さらに詳述すると、動作タイミング機構７には、本体部１上の軸３１及び円弧状部３２をガイドとして、本体部１上を回動するラック１９が配置されており、ラック１９と各部との間は適当なギア列と、後述する力変換を行うレバーやカム機構で結ばれ、このラック１９により各動作のタイミングがとられる。
【００２１】
ディスクストック部２は、格納するディスク１０２を受ける複数のトレイを有しているとともに、図示せぬ昇降機構により、それらのトレイの高さをディスク１０２を格納するのに適した位置に移動させて合わせることができ、またディスク演奏時には上下のトレイがそれぞれ上下方向に開いて演奏スペースが確保できるように構成されている。加えて、ディスクストック部２には、ディスク１０２をディスク演奏部４及びディスクローディング部３へ押し出す図示せぬロードレバーが配置されている。さらに、ディスクストック部２とラック１９との間は図示せぬ動力伝達機構を介して結ばれており、この動力伝達機構によりディスク演奏時のタイミングに合わせてトレイを開くことができるようにタイミングがとられる。
【００２２】
ディスクローディング部３は、従来装置のディスクローディング部の構成と略同じであり、回転することによりディスク１０２が外部から内部に水平に搬送される図示せぬローラと、ディスク１０２がローラから離れた後にディスクストック部２に押し込む図示せぬセーブレバーにより構成されている。
【００２３】
ディスク演奏部４は、ディスク１０２が定置されると、ディスク１０２の中心穴１０２ａを図示せぬ移動機構を用いて突起で押圧し、ディスク１０２をクランプするターンテーブル８と、図２に示すように、ターンテーブル８を回転させるモータ９と、ディスク１０２の記録を取り込み再生するピックアップ１０と、このピックアップ１０を移動させる図示せぬピックアップ移動機構と、それらを搭載するベース１２から構成されている。また、ベース１２には、図２に示すように、下方に進むに従って徐々に内側に向かう状態にして傾斜している複数個のテーパ１２ａが設けられている。ただし、このテーパ１２ａは別部品でベース１２に取り付けてもよい。
【００２４】
スイング部５は、図３及び図４に示すように、本体部１に回動可能に取り付けられたスイングベース１３と、溝１４ａ，１４ｂと係合するスイングベース１３に配置された軸１３ａ，１３ｂ，１３ｃをガイドとしてスイングベース１３上を直動するロック板１４と、スイングベース１３に配置された軸１３ｄ，１３ｅを中心にカム溝１４ｃ，１４ｄでそれぞれロック板１４と回動可能に係合するロックレバー１５，ロックレバー１６と、ディスク演奏部４を支持する複数のダンパー２８，バネ２９により構成されている。なお、ロック板１４には、テーパ１２ａと係合する複数のテーパ１４ｅが形成されている。
【００２５】
ロックレバー１５には、図４に示すようにカム溝１４ｃと係合する軸１５ａと、この軸１５ａの反対側に軸１５ｂが配置されており、ロックレバー１６にはカム溝１４ｄと係合する軸１６ａと反対側にテーパ１６ｂが配置されている。
【００２６】
また、本体部１には、図４に示すように、軸１５ａと係合するカム溝１７ａと溝１７ｂで本体部１に配置された図示せぬ軸をガイドとして直線移動するロックレバー１７と、このロックレバー１７上の軸１７ｄと係合しているカム溝１８ａを有しているカムギア１８が配置されている。そして、カムギア１８が回転されると、カム溝１８ａと軸１７ｄとの係合による制御によって、ロックレバー１７の上記直線移動が行われる。
【００２７】
次に、図３及び図４を用いてスイング部５の動作を説明する。図３は、ディスク演奏時の状態を示している。この状態時には、カムギア１８によりロックレバー１７は外周方向に押し出されており、このためロック板１４はロックレバー１５を介して図３の右側方向に移動されている。そして、ロックレバー１６のテーパ１６ｂはロック板１４により左側に移動している。以下、この状態を「ロック解除状態」と呼ぶ。
【００２８】
次に、ディスクチェンジまたはディスクイジェクトの命令が入ると、図４に示すようにラック１９が回転し、カムギア１８のカム溝１８ａによりロックレバー１７が内周方向に駆動される。このため、ロックレバー１５を介してロック板１４が左側に移動され、テーパ１６ｂは右側に移動する。この動作により、テーパ１６ｂでベース１２を拘束した上で、このベース１２のテーパ１２ａがロック板１４のテーパ１４ｅと係合し押圧するため、テーパ１２ａに沿ってベース１２は下方に押し下げられる。以下、この状態を「ロック状態」と呼ぶ。
【００２９】
本体部１には、ロックレバー１５が配置された軸１５ａがロック状態のとき係合する図示せぬ円弧状の溝が形成されている。そして、ラック１９が上記ロック状態よりさらに回動すると、カムギア１８を介してスイング部５は図１の手前側に回動される。このときはディスク挿脱可能な状態である。この状態から演奏状態へ行くときは、ラック１９を逆の方向に回転させて逆の動作を行うことにり実現される。
【００３０】
ディスクガイド部６は、図５乃至図８に詳細に示しているように、本体部１に取り付けたガイドベース２２と、このガイドベース２２と面接触し、このガイドベース２２に形成されている横溝２２ａと係合する軸２３ａにより直動するカム板２３と、ガイドベース２２の縦溝２２ｂ，２２ｃと係合する軸２３ｄ，２３ｅにより上下動可能なガイド部材２４，２５と、バネ部材２６により構成されている。また、カム板２３は、カム溝２３ｂ，２３ｃと軸２７，２８を介してガイド部材２４，２５と係合されており、ガイド部材２４，２５を別々に所定の位置に上下動させるためのものである。バネ部材２６は、ガイド部材２４とガイド部材２５との間に、互いに近づく方向に移動する力を常に付与しているバネである。
【００３１】
次に、図５乃至図８を用いてガイド部材５の動作を説明する。まず、図５はディスク挿入時のディスクガイド部６の状態を示している。下側のガイド部材２５はカム板２３のカム溝２３ｃによりディスク１０２の搬送高さに定置されており、上側のガイド部材２４はカム溝２３ｂによりガイド部材２５とディスク厚さより少し広い間隔を開けて定置されている。
【００３２】
次にディスク演奏に移行するときには、図６に示すように、ディスク１０２がガイド部材２４，２５の位置に定置されると、ガイドレバー２７によりカム板２３が図５中の左側に移動される。すると、カム溝２３ｃの溝幅が上方に広がることにより、ガイド部材２５は溝幅の拘束を解かれ、バネ２６により上方向に付勢される。このため、ディスク１０２は、ガイド部材２４とガイド部材２５に挟まれて保持される。その後、カム板２３の駆動に伴い、２本のカム溝２３ｂ，２３ｃの平行な部分に沿ってガイド部材２４，２５は、ディスク１０２を保持したまま下降され、図７に示すようにターンテーブル８の上に定置する。さらに、カム板２３が駆動されると再びカム溝２３ｃの拘束を受けディスク１０２から待避するために、図８に示すようにガイド部材２４は上方、ガイド部材２５は下方にそれぞれ移動する。なお、上記したガイド部６は、図１に示すように、ディスク径とほぼ同間隔を開けて２組配置されており、その両端でディスク１０２を保持するものである。
【００３３】
上記構成にて全体の動作を次に説明する。ディスク１０２が外部から挿入されると、ローラ（図示してない）が回転しディスク１０２が内部に挿入される。このとき、ディスクストック部２は、予め選択されたトレイが挿入ディスクと同じ高さに合わされており、ガイド部６におけるガイド部材２４，２５は、図５に示すように、ディスク幅よりやや広い間隔だけ開けた状態となっている。そして、挿入されたディスクは下側のガイド部材２５をガイドとし、図示せぬセーブレバーによりディスクストック部２に格納される。この後、複数枚のディスク１０２の挿入は同様に行われる。このとき、ディスク演奏部４は、ロック状態で図１の前方側（実線で示す位置）に待避されている。
【００３４】
ディスク再生時には、ディスクストック部２では選択された高さに位置決めした後に、ロードレバーによりディスク１０２がディスク演奏部４の方に押し出される。そして、トレイが上下方向に開かれると、ディスク演奏部４はスイング部５の回動により押し出されたディスク１０２の中心穴１０２ａとターンテーブル８の突き出しが一致する位置（図１中に点線で示す位置）まで移動する。その後、ディスクガイド部６では、ディスク１０２を挟み、図６に示すように下方に移動する。これにより、ディスク１０２がターンテーブル８上に完全に定置される。この後、ターンテーブル８の爪が突き出し、ディスク１０２を固定する。続いて、ガイド部材２４，２５が図８に示すように上下方向に待避されるとロック解除状態となり、ダンパー２８とバネ２９によりディスク演奏部４の位置が元の高さまで上昇し、演奏が開始される。
【００３５】
ディスクチェンジの時は、この反対の動作でセーブレバーにて演奏ディスクがディスクストック部２に格納され、同様の動作で交換ディスクが演奏される。また、ディスク排出のときも、演奏ディスクがディスクチェンジと同様な動作でディスクストック部２に格納され、ディスク挿入時の反対の動作でロードレバーにて外部に排出される。
【００３６】
したがって、本実施の形態における光ディスク記録再生装置によれば、ディスク１０２を上下方向から保持する２つのガイド部材２４，２５と２つのガイド部材２４，２５をそれぞれ挟む方向に付勢するバネ２６を備え、ディスク定置時にバネ２６によりガイド部材２４，２５でディスク１０２を挟みながらターンテーブル８上まで保持するようにしたため、ディスク１０２をトレイ内で定置しなくても、また、装置を傾斜状態及び振動下で使用してもターンテーブル８上に確実に定置することができ、機器の薄型化及び動作環境の拡大に寄与できる。
【００３７】
また、ディスク１０２をそれぞ上下方向から保持する２つのガイド部材２４，２５と、各ガイド部材２４，２５を少なくとも上下方向に移動可能に連結するカム板２３と、カムベース２２と２つのガイド部材２４，２５をそれぞれ挟む方向に付勢するバネ２６を備え、カム板２３の動作に連動して上下動するガイド部材２４，２５により、ディスクストック部２からディスク演奏部４にディスク１０２を移動するときには、ガイド部材２４，２５をディスク１０２が通る間隔だけ小開きし、ディスクを定置するときにはディスク回転に影響のない間隔までガイド部材２４，２５を大開するようにしたことにより、ディスク演奏部４とディスクストック部２を別の位置に配置できる。このため、機器の薄型化に寄与できる。
【００３８】
さらに、ディスク演奏部４の位置を保つための複数個のダンパー２８やバネ２９をディスク演奏部４の下に配置し、ダンパーの可動範囲を利用してディスク再生時以外に、ラック１９を駆動源にしてロックレバーを介してロック板１４を移動させることにより、ディスク演奏部４を下方向に押圧・固定することが可能なため、特別な昇降機構を用いることなく、ディスク挿脱時にディスク１０２をディスク演奏部４の上を通過させることができる。また、ディスク外部に別途保持用のダンパー２８やバネ２９を設ける必要がないため、機器の小型化に寄与する。
【００３９】
（実施の形態２）
次に、本発明の第２の実施の形態における光ディスク記録再生装置について図９及び図１０を参照して説明する。本実施の形態２における光ディスク記録再生装置の構成は、本発明における実施の形態１として図１乃至図８に示した装置構成のスイングベース１３にカム溝１３ｆを追加し、さらにカムギア１８にカム溝１３ｆと係合する軸１８ｂを追加した構成としたものであって、このように構成することで、スイングレバー２０とカムギア２１を必要とせずに前記したスイング動作の実現可能にしたものである。
【００４０】
その第２の実施の形態における光ディスク記録再生装置の動作を次に説明する。まず、演奏位置にスイングベース１３があるときは、軸１８ｂはカム溝１３ｆの上側の円弧部１３ｇで係合している。ラック１９が回動すると、カムギア１８が回転し軸１８ｂも回転する。しかし、スイングベース１３は軸１８ｂがカム溝１３ｆの円弧部１３ｇを摺動するだけなので、停止したままである。そして、軸１８ｂが直線溝部１３ｈに差しかかると、軸１８ｂが直線溝部１３ｈの拘束を受け、図９及び図１０に示すようにスイングベース１３は前方方向に回動する。そして、また軸１８ｂが下側の円弧部１３ｉに差しかかると、スイングベース１３は待機位置で停止し、スイング動作が完了する。待機位置から演奏位置までのスイングも、ラック１９を逆の方向に回転させることにより実現される。
【００４１】
したがって、本実施の形態２における光ディスク記録再生装置によれば、実施の形態１における光ディスク記録再生装置の効果に加え、スイングベース１３に円弧と直線を組み合わせた形状のカム溝１３ｆを設け、カムギア１８にカム溝１３ｆと係合する軸１８ｂを配置することにより、ディスク演奏部４のスイング動作とロック動作をカムギア１８を用いて行うことができるので、機器の簡素化に寄与する。
【００４２】
【発明の効果】
本発明の光ディスク記録再生装置は、上記実施の形態より明らかなように、ディスクを上下方向から保持する２つのガイド部材により前記第1 のガイド部材と前記第２のガイド部材とで前記ディスクを狭持し前記ディスク面に略垂直な方向に前記ディスクを移送することにより、ディスクを定置された状態で所定の位置に確実に固定することができるので、機器の薄型化及び動作環境の拡大が図れる。
【００４３】
また、ディスクの記録再生位置とディスクストック位置を別とした構造としたことにより、ディスク記録再生時にディスク記録再生部をディスクストック部の内側まで入り込ませる必要がなくなり、機器の薄型化が図れる。
【００４４】
さらに、ディスク記録再生部の回動操作とロック動作等を同一の機構を用いて行うようにした場合では、機器の簡素化が図れる。
【図面の簡単な説明】
【図１】本発明の実施の形態１における光ディスク記録再生装置の平面図
【図２】実施の形態１における同上装置のディスク演奏部の側面図
【図３】実施の形態１における同上装置のスイング部をロック状態で示す上面図
【図４】実施の形態１における同上装置のスイング部をロック解除状態で示す上面図
【図５】実施の形態１における同上装置のディスクガイド部をガイド状態で示す側面図及び正面図
【図６】実施の形態１における同上装置のディスクガイド部をチャック状態で示す側面図及び正面図
【図７】実施の形態１における同上装置のディスクガイド部を定置状態で示す側面図及び正面図
【図８】実施の形態１における同上装置のディスクガイド部を演奏状態で示す側面図及び正面図
【図９】本発明の実施の形態２における光ディスク記録再生装置のガイド部を示す上面図
【図１０】実施の形態２における同上装置ののガイド部を示す上面図
【図１１】従来の光ディスク記録再生装置の上面図
【図１２】従来の同上装置の上面図の側面図
【符号の説明】
１    本体部
１ａ    軸
２    ディスクストック部
３    ディスクローディング部
４    ディスク演奏部（ディスク記録再生部）
５    スイング部
６    ディスクガイド部
７    動作タイミング機構
８    ターンテーブル
９    モータ
１０    光ピックアップ
１２    ベース
１２ａ    テーパ
１３    スイングベース
１３ａ    軸
１３ｂ    軸
１３ｃ    軸
１３ｄ    軸
１３ｅ    軸
１３ｆ    カム溝
１３ｇ    円弧部
１３ｈ    直線溝部
１３ｉ    円弧部
１４    ロック板
１４ａ    溝
１４ｂ    溝
１４ｃ    溝
１４ｄ    溝
１５    ロックレバー
１５ａ    軸
１６    ロックレバー
１６ａ    軸
１６ｂ    テーパ
１７    ロックレバー
１７ａ    カム溝
１７ｂ    溝
１７ｄ    軸
１８    カムギア
１８ａ    カム溝
１８ｂ    軸
１９    ラック
２０    カムギア
２２    ガイドベース
２２ａ    横溝
２２ｂ    縦溝
２２ｃ    縦溝
２３    カム板
２３ａ    軸
２３ｂ    カム溝
２３ｃ    カム溝
２３ｄ    軸
２３ｅ    軸
２４    ガイド部材
２５    ガイド部材
２６    バネ
２７    ガイドレバー
２７ａ    軸
２７ｂ    軸
２７ｃ    穴
３１    軸
３２    孔
１０１    ディスク演奏部（ディスク記録再生部）
１０２    ディスク
１０２ａ    中心穴
１０３    ターンテーブル
１０４    モータ
１０５    ピックアップ
１０６    駆動機構
１０７    ベース
１０８    ディスクローディング部
１０９    ディスクストック部
１１０    トレイ
１１１    昇降レバー
【図１】
0003559183.tif 000002
【図２】
0003559183.tif 000003
【図３】
0003559183.tif 000004
【図４】
0003559183.tif 000005
【図５】
0003559183.tif 000006
【図６】
0003559183.tif 000007
【図７】
0003559183.tif 000008
【図８】
0003559183.tif 000009
【図９】
0003559183.tif 000010
【図１０】
0003559183.tif 000011
【図１１】
0003559183.tif 000012
【図１２】
0003559183.tif 000013